(57)【特許請求の範囲】
【請求項１】
複数種類の記録紙が収容される収容部と、
前記収容部から択一的に選択された記録紙に画像を記録する記録部と、
記録紙に設けられた該記録紙のサイズ情報が記憶された情報チップから、該サイズ情報を受信する記録情報受信部と、
前記収容部の仕切り板を利用して該収容部に収容される記録紙のサイズ情報を取得する情報取得部と、
前記記録情報受信部で記録紙のサイズ情報を受信した場合に、前記記録情報受信部で受信した記録紙のサイズ情報に基づいて画像記録に使用する記録紙を選択するよう制御し、且つ、前記記録情報受信部で記録紙のサイズ情報を未受信の場合に、前記情報取得部で取得した記録紙のサイズ情報に基づいて画像記録に使用する記録紙を選択するよう制御する制御部と、
を備えたことを特徴とする画像記録装置。
【請求項２】
原稿紙の画像を読み取る読取部と、
原稿紙に設けられた該原稿紙のサイズ情報が記憶された情報チップから、該原稿紙のサイズ情報を受信する原稿情報受信部と、を備え、
前記記録部は、前記収納部から択一的に選択された記録紙に前記読取部にて読み取られた画像を記録し、
前記制御部は、前記記録情報受信部で記録紙のサイズ情報を受信した場合に、前記記録情報受信部で受信した記録紙のサイズ情報と、前記原稿情報受信部にて受信した原稿紙のサイズ情報とに基づいて画像記録に使用する記録紙を選択するよう制御し、且つ、前記記録情報受信部で記録紙のサイズ情報を未受信の場合に、前記情報取得部で取得した記録紙のサイズ情報と、前記原稿情報受信部にて受信した原稿紙のサイズ情報とに基づいて画像記録に使用する記録紙を選択するよう制御することを特徴とする請求項１に記載の画像記録装置。
【請求項３】
前記原稿情報受信部を、前記読取部に設けられ原稿の読み取り時に原稿紙に沿って移動するスキャンヘッドに配したことを特徴とする請求項２に記載の画像記録装置。
【請求項４】
前記記録情報受信部で受信した記録紙のサイズ情報を記憶する記憶部を備えたことを特徴とする請求項１から３のいずれか一項に記載の画像記録装置。
【請求項５】
前記記憶部は、前記記録情報受信部で記録紙のサイズ情報を未受信の場合に、前記情報取得部で取得した記録紙のサイズ情報を記憶することを特徴とする請求項４に記載の画像記録装置。
【請求項６】
前記情報取得部で取得したサイズ情報と、前記記録情報受信部で取得したサイズ情報のうち、優先的にいずれのサイズ情報に基づき画像記録に使用する記録紙を選択するかを操作可能な情報選択操作部を設けたことを特徴とする請求項１から５のいずれか一項に記載の画像記録装置。
【請求項７】
前記制御部は、前記記録情報受信部で記録紙のサイズ情報を未受信の場合に、記録紙のサイズ情報が未受信であることを表示部に表示することを特徴とする請求項１から６のいずれか一項に記載の画像記録装置。
【請求項８】
前記収容部における記録紙が収容される複数のトレーの間に、電波を遮蔽する遮蔽部材を設置したことを特徴とする請求項１から７のいずれか一項に記載の画像記録装置。
【請求項９】
前記記録部による画像記録を行うときに、少なくとも原稿紙の画像データ及び原稿紙のサイズ情報を追跡情報として記憶部に記憶するよう構成したことを特徴とする請求項１から８のいずれか一項に記載の画像記録装置。
【請求項１０】
前記記録部による画像記録を行うときに、記憶部に記憶される追跡情報を記録紙に原稿の画像とともに出力するよう構成したことを特徴とする請求項９に記載の画像記録装置。
【発明の詳細な説明】
【０００１】
【発明の属する技術分野】
本発明は、原稿紙の画像を読み取り、この画像を選択された記録紙に記録する画像記録装置に関するものである。
【０００２】
【従来の技術】
従来、この種の画像記録装置として、原稿の画像を読み込んで、収容部に収容された記録紙に画像を記録する複写機等が知られている（例えば、特許文献１参照。）。この画像記録装置は、記録紙に設けられた非接触用のＩＣチップから記録紙に関する紙情報を受信するＩＣリーダーと、この紙情報を制御回路に転送するデータ転送回路と、を有している。
【０００３】
ＩＣチップには、紙情報として、紙の種類、サイズ、色等が記憶される。これにより、画像記録装置の制御部にて記録紙の紙情報を認識して、画像を記録するよう設定された記録紙の情報と、実際に収容されている記録紙の情報とを照合するようになっている。照合の結果、設定された記録紙と収容されている記録紙とが異なると判定された場合は、その旨を表示部に表示して使用者等に警告するとともに、画像記録の動作が禁止される。
【０００４】
【特許文献１】
特開２０００−２９６６５３号公報
【０００５】
【発明が解決しようとする課題】
しかしながら、前記画像記録装置では、記録紙の設定が画像の記録に不適切な場合に、常に画像記録が中止されることとなる。すなわち、収容部に収容された他の記録紙に記録可能な場合であっても、作業者等が他の記録紙を使用するように設定を変更しなければ、画像記録を続行することができないという問題点がある。すなわち、最終的にはユーザが記録紙の設定を変更する作業を行う必要があり、ユーザの負担が十分に軽減されてはいない。
【０００６】
本発明は、前記事情に鑑みてなされたものであり、その目的とするところは、原稿の画像を記録するのに不適な記録紙に設定されている場合であっても、記録可能な他の種類の記録紙に画像を記録することのできる画像記録装置を提供することにある。
【０００７】
【課題を解決するための手段】
前記目的を達成するため、請求項１に記載の発明では、
複数種類の記録紙が収容される収容部と、
前記収容部から択一的に選択された記録紙に画像を記録する記録部と、
記録紙に設けられた該記録紙のサイズ情報が記憶された情報チップから、該サイズ情報を受信する記録情報受信部と、
前記収容部の仕切り板を利用して該収容部に収容される記録紙のサイズ情報を取得する情報取得部と、
前記記録情報受信部で記録紙のサイズ情報を受信した場合に、前記記録情報受信部で受信した記録紙のサイズ情報に基づいて画像記録に使用する記録紙を選択するよう制御し、且つ、前記記録情報受信部で記録紙のサイズ情報を未受信の場合に、前記情報取得部で取得した記録紙のサイズ情報に基づいて画像記録に使用する記録紙を選択するよう制御する制御部と、
を備えたことを特徴とする。
【０００８】
請求項１に記載の発明によれば、情報取得部で取得した記録紙のサイズ情報、又は記録情報受信部にて受信された記録紙のサイズ情報に基づいて、画像記録に使用する記録紙が自動的に選択される。これにより、正確な情報に基づいて、原稿の画像に対応した適切な記録紙が選択されることとなり、画像記録を的確に行うことができる。
【０００９】
請求項２に記載の発明では、請求項１に記載の画像記録装置において、
原稿紙の画像を読み取る読取部と、
原稿紙に設けられた該原稿紙のサイズ情報が記憶された情報チップから、該原稿紙のサイズ情報を受信する原稿情報受信部と、を備え、
前記記録部は、前記収納部から択一的に選択された記録紙に前記読取部にて読み取られた画像を記録し、
前記制御部は、前記記録情報受信部で記録紙のサイズ情報を受信した場合に、前記記録情報受信部で受信した記録紙のサイズ情報と、前記原稿情報受信部にて受信した原稿紙のサイズ情報とに基づいて画像記録に使用する記録紙を選択するよう制御し、且つ、前記記録情報受信部で記録紙のサイズ情報を未受信の場合に、前記情報取得部で取得した記録紙のサイズ情報と、前記原稿情報受信部にて受信した原稿紙のサイズ情報とに基づいて画像記録に使用する記録紙を選択するよう制御することを特徴とする。
【００１０】
請求項２に記載の発明によれば、請求項１の作用に加え、記録情報受信部で記録紙のサイズ情報を受信した場合には、記録情報受信部で受信した記録紙のサイズ情報に加え、原稿情報受信部にて受信した原稿紙のサイズ情報とに基づいて画像記録に使用する記録紙が選択されるとともに、記録情報受信部で記録紙のサイズ情報を未受信の場合には、情報取得部で取得した記録紙のサイズ情報に加え、原稿情報受信部で受信した原稿紙のサイズ情報に基づいて画像記録に使用する記録紙が選択される。これにより、より多くの情報に基づいて、原稿の画像に対応した適切な記録紙が選択されることとなり、画像記録をより的確に行うことができる。
【００１１】
請求項３に記載の発明では、請求項２に記載の画像記録装置において、
前記原稿情報受信部を、前記読取部に設けられ原稿の読み取り時に原稿紙に沿って移動するスキャンヘッドに配したことを特徴とする。
【００１２】
請求項３に記載の発明によれば、請求項２の作用に加え、原稿紙全体の画像をスキャンするべく原稿紙に沿って移動するスキャンヘッドに原稿情報受信部が配されているので、情報チップが原稿紙のどの部分に配されていても、確実にサイズ情報を受信することができる。
【００１３】
請求項４に記載の発明では、請求項１から３のいずれか一項に記載の画像記録装置において、
前記記録情報受信部で受信した記録紙のサイズ情報を記憶する記憶部を備えたことを特徴とする。
【００１４】
請求項４に記載の発明によれば、請求項１から３のいずれか一項の作用に加え、記憶部に記憶されたサイズ情報を利用して、記録紙の選択を行うことができ、リアルタイムで記録紙のサイズ情報を認識する必要はない。また、情報チップとの通信の特性上、情報チップからのサイズ情報の読み出しが常時行えない制約がある場合も、記憶内容を基に適切な記録紙を選択することができる。
【００１５】
請求項５に記載の発明では、請求項４に記載の画像記録装置において、
前記記憶部は、前記記録情報受信部で記録紙のサイズ情報を未受信の場合に、前記情報取得部で取得した記録紙のサイズ情報を記憶することを特徴とする。
【００１６】
請求項５に記載の発明によれば、請求項４の作用に加え、記録紙のサイズ情報が未受信である場合には、情報取得部で取得した記録紙のサイズ情報が、記録紙の情報として記憶部に記憶される。これにより、収容部に記録紙が収容されているにも関わらず、通信状態等に起因してサイズ情報が受信されない場合であっても、収容状態から記録紙の情報が記憶されるので、記録紙の選択を行うことができる。
【００１７】
請求項６に記載の発明では、請求項１から５のいずれか一項に記載の画像記録装置において、
前記情報取得部で取得したサイズ情報と、前記記録情報受信部で取得したサイズ情報のうち、優先的にいずれのサイズ情報に基づき画像記録に使用する記録紙を選択するかを操作可能な情報選択操作部を設けたことを特徴とする。
【００１８】
請求項６に記載の発明によれば、請求項１から５のいずれか一項の作用に加え、記録紙の選択を行う際に、記録紙の収容状態から取得された記録紙のサイズ情報と、記録情報受信部で受信した記録紙のサイズ情報の、いずれの情報を優先するかを、ユーザが操作部により選択操作をすることができる。従って、例えば、元々情報チップが埋め込まれたＡ３サイズの記録紙を、人為的に半分に切断してＡ４サイズの記録紙にして利用した場合、収容状態から取得した記録紙のサイズ情報を、記録情報受信部からの情報チップのサイズ情報より優先する設定にすることで、サイズ誤りのない正確な記録紙選択を行わせることができる。
【００１９】
請求項７に記載の発明では、請求項１から６のいずれか一項に記載の画像記録装置において、
前記制御部は、前記記録情報受信部で記録紙のサイズ情報を未受信の場合に、記録紙のサイズ情報が未受信であることを表示部に表示することを特徴とする。
【００２０】
請求項７に記載の発明によれば、請求項１から６のいずれか一項の作用に加え、ユーザは、表示部により記録紙のサイズ情報が未受信であることを認識することができる。これにより、ユーザは、記録紙のサイズ情報を装置の操作部等から直接入力したり、記録情報受信部に記録紙のサイズ情報を再度受信させたり、サイズ情報を取得させるための処置をとることができる。
【００２１】
請求項８に記載の発明では、請求項１から７のいずれか一項に記載の画像記録装置において、
前記収容部における記録紙が収容される複数のトレーの間に、電波を遮蔽する遮蔽部材を設置したことを特徴とする。
【００２２】
請求項８に記載の発明によれば、請求項１から７のいずれか一項の作用に加え、各トレーが遮蔽部材により仕切られるので、各トレーに異なる種類の記録紙が収容される場合でも、異なる種類の記録紙の情報チップの電波が混線した状態で、記録情報受信部に受信されることはない。すなわち、例えば、収容部が、上下に並んだ複数段のトレーにより構成されている場合には、各トレーの間に遮蔽部材を設置することにより、各トレー毎に記録紙のサイズ情報を的確に受信することができる。
【００２３】
請求項９に記載の発明では、請求項１から８のいずれか一項に記載の画像記録装置において、
前記記録部による画像記録を行うときに、少なくとも原稿紙の画像データ及び原稿紙のサイズ情報を追跡情報として記憶部に記憶するよう構成したことを特徴とする。
【００２４】
請求項９に記載の発明によれば、請求項１から８のいずれか一項の作用に加え、原稿の画像が記録紙に記録されるときに、記憶部に追跡情報が記憶されることとなる。これにより、ユーザは、記憶部に蓄積された追跡情報から、所望の画像データ及びサイズ情報を検索することができる。
【００２５】
請求項１０に記載の発明では、請求項９に記載の画像記録装置において、
前記記録部による画像記録を行うときに、記憶部に記憶される追跡情報を記録紙に原稿の画像とともに出力するよう構成したことを特徴とする。
【００２６】
請求項１０に記載の発明によれば、請求項９の作用に加え、記憶部に記憶される追跡情報が記録紙に出力されるので、ユーザは記憶部に蓄積されていく追跡情報を認識することができる。
【００３７】
【発明の実施の形態】
図１から図９は本発明の一実施形態を示すもので、図１は複合機の概略正面図、図２は読取部の概略斜視説明図、図３は収容部の概略斜視説明図、図４は複合機の概略構成ブロック図である。
【００３８】
図１に示すように、本実施形態において例示する画像記録装置は、複写機（スキャナを含む）、プリンタ、ファクシミリ等の機能を有する複合機１であり、上部に原稿紙２の画像を読み取る読取部３が、下側に複数種類の記録紙４が収容される収容部５が備えられる。読取部３は移動自在なスキャンヘッド３ａを有し、このスキャンヘッド３ａを原稿紙２に沿って移動させて画像をスキャンする（図２参照）。スキャンヘッド３ａは装置本体の幅方向に延び、装置本体の長手方向に移動自在となっている。また、収容部５は複数段の上下に並ぶトレー５ａを有し、各段のトレー５ａごとに異なる種類の記録紙４を収容することが可能となっている。この複合機１は、読取部３にて読み取った画像を、複数種類の記録紙４から択一的に選択された記録紙４に、記録部６にて記録するようになっている。
なお、これらの構成は従来公知のものと同様であるのでここでは詳述しない。
【００３９】
図２に示すように、スキャンヘッド３ａには、原稿紙２に設けられた情報チップとしての無線タグ２ａの情報を受信する原稿用アンテナ７が設置される。原稿用アンテナ７は、スキャンヘッド３ａ上を、装置本体の幅方向へ移動可能となっている。これにより、原稿紙２の無線タグ２ａに記憶された紙情報２ｂを、複合機１側にて非接触で受信することができる。図４に示すように、原稿用アンテナ７にて受信した紙情報２ｂは、第１無線コントロール部８を介して制御部１００へ伝達される。
【００４０】
図３に示すように、収容部５における収容された各トレー５ａは、電波を遮蔽する遮蔽部材としての遮蔽板５ｂにより仕切られている。なお、各トレー５ａには、記録紙４のサイズに合わせて移動可能な仕切り板５ｃが設けられている。各遮蔽板５ｂの間には、記録紙４の無線タグ４ａの情報を受信する記録情報受信部としての記録用アンテナ９が設置される。これにより、記録紙４の無線タグ４ａに記憶された紙情報４ｂを、複合機１側にて非接触で受信することができる。図４に示すように、記録用アンテナ９にて受信した紙情報４ｂは、第２無線コントロール部１０を介して制御部１００へ伝達される。
なお、この記録用アンテナ９は各トレー５ａへの記録紙４の収容に影響しない程度に十分薄型であり、各トレー５ａ内での設置場所は、記録紙４上の無線タグ４ａの情報が良好に受信可能である場所であればどこでもよい。また、仕切り板５ｃと一体型とすることで、仕切り板５ｃと一緒に記録用アンテナ９が移動可能であってもよい。
【００４１】
図４に示すように、この複合機１は、公衆回線、ＬＡＮ回線等に、それぞれ、モデム１１、ネットワーク接続部１２等を介して接続されている。すなわち、外部端末等から送信された画像データを、記録部６により記録紙４に記録することもできるようになっている。図２に示すように、この複合機１は、操作部１３及び表示部１４を備えている。すなわち、操作部１３を利用してユーザが操作指令を入力したり、表示部１４を利用して複合機１の動作状態を確認することができるようになっている。また、この複合機１は、前述の収容部５の仕切り板５ｃを利用して、記録紙４の収容状態から、記録紙４に関する情報を取得する情報取得部１５を備えている。さらに、記録紙４に関する情報を取得する場合に、情報取得部１５から取得した紙情報と、記録用アンテナ９から受信した紙情報のうち、いずれの情報を優先するかを、操作部１３にて択一的に選択できるようになっている。
【００４２】
図４に示すように、複合機１は、読取部３、記録部６、第１無線コントロール部８、第２無線コントロール部１０、モデム１１、ネットワーク接続部１２、操作部１３、表示部１４、情報取得部１５等と接続された制御部１００を有する。
この制御部１００は、ＣＰＵ１０１、ＥＥＰＲＯＭ１０２、ＲＡＭ１０３等からなり、複合機１の各部を制御する。本実施形態においては、この制御部１００が、選択制御部、複写禁止制御部及び複写記録制御部を構成することとなる。
【００４３】
図５（ａ）に示すように、ＥＥＰＲＯＭ１０２には、原稿紙２の画像を記録紙４へ記録するための通常複写プログラム１０４が記憶されている。本実施形態においては、この通常複写プログラム１０４は、原稿用アンテナ７にて受信した紙情報２ｂと、記録用アンテナ９にて受信した紙情報４ｂとに基づいて、画像記録に使用する記録紙４を選択する動作を含んだプログラムである。記録用アンテナ９にて受信された紙情報４ｂはＥＥＰＲＯＭ１０２に記憶される。ここで、記録用アンテナ９で紙情報４ｂが未受信の場合は、情報取得部１５で取得した記録紙４に関する情報が紙情報４ｂに代わって記憶されるようになっている。また、この通常複写プログラム１０４は、記録用アンテナ９で紙情報４ｂが未受信の場合に、記録紙４の情報が未受信であることを表示部１４に表示する動作も含んでいる。
【００４４】
また、ＥＥＰＲＯＭ１０２には、複写が禁止される紙類に関する複写禁止情報１０５が記憶されている。本実施形態においては、この複写禁止情報１０５は、紙幣や有価証券（株券、国債等）に関する情報を含んでいる。
また、ＥＥＰＲＯＭ１０２には、この複写禁止情報１０５と、原稿用アンテナ７にて受信した紙情報２ｂとを比較して、原稿紙２が複写が禁止された紙類であるかを判定するための禁止判定プログラム１０６が記憶される。
さらに、ＥＥＰＲＯＭ１０２には、禁止判定プログラム１０６により原稿紙２が複写禁止の紙類であると判定された場合に、記録部６による画像記録を禁止するための複写禁止プログラム１０７と、原稿の画像に重ねて所定の画像（ウォータマーク）を記録するよう記録部６を制御するための複写記録プログラム１０８とが記憶されている。このウォータマークは、例えば、「ＣＯＰＹ」、「コピー」のような文字等であり、ユーザにより適宜選択される。
本実施形態においては、複写禁止プログラム１０７により動作する複写禁止モードと、複写記録プログラム１０８により動作する複写記録モードとを、操作部１３により択一的に選択操作可能となっている。
【００４５】
また、ＥＥＰＲＯＭ１０２には、追跡情報１０９と、追跡情報記憶プログラム１１０と、データベース１１１とが記憶される。追跡情報記憶プログラム１１０は、記録部６による画像記録を行うときに、原稿紙２の追跡情報１０９をＥＥＰＲＯＭ１０２に記憶するためのプログラムである。図５（ｂ）に示すように、追跡情報１０９は、原稿紙２の画像データ１０９ａと、原稿紙２の紙情報２ｂとを含んでいる。本実施形態においては、追跡情報１０９は、さらに、ユーザＩＤ・氏名情報１０９ｂ、記録枚数情報１０９ｃ、記録開始時刻情報１０９ｄ、記録モード情報１０９ｅを含んでいる。データベース１１１には、原稿種類とそのコードが記憶されている（図７参照）。
【００４６】
以上のように構成された複合機１においては、図６に示すように、原稿紙２及び記録紙４の紙情報２ｂ，４ｂは、それぞれ原稿用アンテナ７及び記録用アンテナ９にて受信される。そして、各無線コントロール部８，１０を介して制御部１００へ伝達される。本実施形態においては、図７に示すように、無線タグ２ａには紙情報２ｂとして商品クラス識別番号が記憶されており、各無線コントロール部８，１０を通じて取り込まれた商品クラス識別番号は、制御部１００にてデータベース１１１へ照会して、対応する原稿種類の解析を行い、その結果と紙情報２ｂ，４ｂに基づいて、画像が記録される記録紙４を選択する。また、本実施形態においては、図５（ｃ）に示すように、この紙情報２ｂ，４ｂには、紙の種類、サイズ、色等が含まれている。さらに、本実施形態においては、図６に示すように、原稿紙２の紙情報２ｂが追跡情報１０９としてＥＥＰＲＯＭ１０２に記憶される場合がある。
【００４７】
以上のように構成された複合機１における制御部１００の動作を、図８及び図９に示すフローチャートを参照して説明する。本実施形態においては、ユーザによる操作部１３の操作により、原稿紙２が複写が禁止された紙類である場合に複製に制限を加える通常動作状態と、ユーザの認証処理を行ってから原稿紙２の追跡情報１０９をＥＥＰＲＯＭ１０２に記憶させるユーザ認証動作状態と、に切り換えられるようになっており、各動作状態で分けて説明する。
【００４８】
図８に示す通常動作状態の場合、読取部３により原稿紙２の画像が読み取られると（ステップＳ１）、原稿用アンテナ７により、原稿紙２の無線タグ２ａのデータが検知されたか否かを判定する（ステップＳ２）。ここで、無線タグ２ａのデータが検知されない場合は、記録部６により原稿紙２の画像を複写する通常複写処理を行って（ステップＳ３）、複写制御を終了する。
【００４９】
ステップＳ２にて無線タグ２ａのデータが検知された場合は、制御部１００は紙情報２ｂを含むタグの情報をデータベース１１１へ照会し（ステップＳ４）、紙情報２ｂを認識できる状態とする。前述のように、商品クラス識別番号をデータベース１１１へ照会することにより、制御部１００が商品クラス識別番号と対応する原稿種類を解析できるようになっている（ステップＳ５）。
なお、ここで商品クラス識別番号とは、無線タグ２ａに格納されている電子製品コード（ＥＰＣコード）の中で、タグがつけられている商品のクラスを表す２４ｂｉｔの番号をさす。以降、本実施形態では、この商品クラス識別番号をデータベース１１１へ照会して紙情報２ｂを解析する方式を例にとって説明する。
【００５０】
次いで、この原稿紙２が複写が禁止される紙類であるか否かを判別し（ステップＳ６）、複写が禁止される紙類でない場合はステップＳ３へ進んで通常の複写処理を行う。ステップＳ６にて複写が禁止されている紙類であると判定された場合は、続いて複写禁止モードに設定されているか、複写記録モードに設定されているかを判別する（ステップＳ７）。
【００５１】
ステップＳ７で複写禁止モードに設定されていると判別された場合は、記録部６により画像記録処理を行うことなく、表示部１４に複写禁止の警告を表示をして（ステップＳ８）、制御を終了する。また、ステップＳ７で複写記録モードに設定されていると判別された場合は、原稿の画像とともにウォータマークを記録紙４に記録して（ステップＳ９）、制御を終了する。
【００５２】
また、図９に示すユーザ認証動作状態の場合、表示部１４にユーザＩＤの入力表示を行い（ステップＳ１１）、操作部１３からユーザによるＩＤ入力があったか否かを判別する（ステップＳ１２）。ここで、ＩＤ入力がない場合はステップＳ１１へ戻り待機状態となる。ステップＳ１２にてＩＤ入力があった場合は、続いてユーザが登録者であるか否かを判別する（ステップＳ１３）。
【００５３】
ステップＳ１３にて、ユーザが登録者でないと判別された場合はステップＳ１１へ戻り待機状態となる。ユーザが登録者であると判別された場合は、複写制御の待機状態へ移行する（ステップＳ１４）。そして、ユーザにより原稿や複写部数が設定されて複写動作が開始されると（ステップＳ１５）、読取部３により原稿紙２の画像を読み取る（ステップＳ１６）。
【００５４】
そして、原稿用アンテナ７により、原稿紙２の無線タグ２ａのデータが検知されたか否かを判定する（ステップＳ１７）。ここで、無線タグ２ａのデータが検知されない場合は、記録部６により原稿紙２の画像を複写する通常複写処理を行って（ステップＳ１８）、複写制御を終了する。
【００５５】
ステップＳ１７にて無線タグ２ａのデータが検知された場合は、制御部１００は紙情報２ｂを含むタグの情報をデータベース１１１へ照会し（ステップＳ１９）、紙情報２ｂを認識できる状態とする。この場合も、図７に示すように、無線タグ２ａには紙情報２ｂとして商品クラス識別番号が記憶されており、この商品クラス識別番号をデータベース１１１へ照会することにより、制御部１００が商品クラス識別番号と対応する原稿種類を解析できるようになっている（ステップＳ２０）。
【００５６】
そして、ＥＥＰＲＯＭ１０２に追跡情報１０９を記憶させるために、紙情報２ｂ、画像データ１０９ａ、ユーザＩＤ・氏名情報１０９ｂ、記録枚数情報１０９ｃ、記録開始時刻情報１０９ｄ、記録モード情報１０９ｅ等を生成する（ステップＳ２１）。そして、これらの各情報２ｂ，１０９ａ，１０９ｂ，１０９ｃ，１０９ｄ，１０９ｅをログデータとして合成してＥＥＰＲＯＭ１０２に記憶させ且つ画像の複写を行って（ステップＳ２２）、さらに各情報２ｂ，１０９ａ，１０９ｂ，１０９ｃ，１０９ｄ，１０９ｅを原稿の画像とともに記録紙４に出力した後、制御を終了する。
【００５７】
このように本実施形態の複合機１によれば、読取部３にて原稿の画像を読み取る際に原稿用アンテナ７にて原稿紙２の紙情報２ｂが受信され、制御部１００により画像記録に使用する記録紙４が自動的に選択される。これにより、正確な情報に基づいて、原稿の画像に対応した適切な記録紙４が選択されることとなり、画像記録を的確に行うことができる。従って、操作部１３等により原稿の画像を記録するのに不適な記録紙４に設定されている場合であっても、記録可能な他の種類の記録紙４に画像を記録することができる。
【００５８】
特に、本実施形態においては、原稿紙２の紙情報２ｂに加えて記録紙４の紙情報４ｂを利用して、画像記録に使用する記録紙４を選択するようにしたので、より多くの情報に基づいて、原稿の画像に対応した適切な記録紙４が選択されることとなり、画像記録をより的確に行うことができる。
【００５９】
また、本実施形態の複合機１によれば、ユーザは、操作部１３により複写禁止モードと複写記録モードとを択一的に選択操作をすることができる。そして、複写禁止モードのときに、読取部３の原稿紙２の種類が、ＥＥＰＲＯＭ１０２に記憶されている複写禁止情報１０５の種類に該当する場合は、画像記録が禁止される。また、複写記録モードのときに、読取部３の原稿紙２の種類が、ＥＥＰＲＯＭ１０２に記憶されている複写禁止情報１０５の種類に該当する場合は、原稿の画像に所定の画像が重ねて記録される。これにより、法律等により複製が規制されている紙類や、営業秘密に関する紙類の複写行為を禁止したり、これらの紙類がそっくりそのまま複写されることを阻止することができる。従って、無断複製、違法偽造、秘密漏洩等を未然に防止することができ、実用に際して極めて有利である。特に、本実施形態においては、複写禁止情報１０５が紙幣や有価証券に関する情報を含んでいるので、紙幣や有価証券の複写を制限して、これらの複製による偽造を阻止することができる。
【００６０】
また、本実施形態の複合機１によれば、原稿の画像が記録紙４に記録されるときに、ＥＥＰＲＯＭ１０２に追跡情報１０９が記憶されるようにしたので、ユーザは、ＥＥＰＲＯＭ１０２に蓄積された追跡情報１０９から、所望の画像データ１０９ａ、紙情報２ｂ等を検索することができる。すなわち、ユーザが、後日、複写が行われた原稿等を紛失したり、速やかに複写記録物を入手する必要がある場合に、追跡情報１０９を検索して所望の記録物のデータを入手したり、不正なコピーを試みたことに対する追跡情報１０９を入手したりすることができる。特に、本実施形態によれば、ＥＥＰＲＯＭ１０２に記憶される追跡情報１０９が記録紙４に出力されるので、ユーザはＥＥＰＲＯＭ１０２に蓄積されていく追跡情報１０９を認識することができる。
【００６１】
また、本実施形態の複合機１によれば、原稿紙２全体の画像をスキャンするべく原稿紙２に沿って移動するスキャンヘッド３ａに原稿用アンテナ７が配されているので、無線タグ２ａが原稿紙２のどの部分に配されていても、確実に紙情報２ｂを受信することができる。
【００６２】
また、本実施形態の複合機１によれば、記録用アンテナ９にて受信した紙情報４ｂをＥＥＰＲＯＭ１０２に記憶するよう構成したので、制御部１００はＥＥＰＲＯＭ１０２に記憶された紙情報４ｂを利用して記録紙４の選択を行うことができ、リアルタイムで記録紙４の紙情報４ｂを認識する必要はない。また、情報チップとしての無線タグ４ａとの通信の特性上、無線タグ４ａからの紙情報４ｂの読み出しが常時行えない制約がある場合も、記憶内容を基に適切な記録紙４を選択することができる。また、一度、紙情報４ｂが認識できればよいため、記録用アンテナ９の構成等を簡単にすることができる。
【００６３】
また、本実施形態の複合機１によれば、記録紙４の紙情報４ｂが未受信である場合には、記録紙４の収容状態から取得された情報が、記録紙４の情報としてＥＥＰＲＯＭ１０２に記憶される。これにより、収容部５のトレー５ａに記録紙４が収容されているにも関わらず、通信状態等に起因して紙情報４ｂが受信されない場合であっても、収容状態から記録紙４の情報が記憶されるので、記録紙４の選択を行うことができる。
【００６４】
また、本実施形態の複合機１によれば、記録用アンテナ９で紙情報４ｂが未受信の場合に、記録紙４の情報が未受信であることを表示部１４に表示するようにしたので、ユーザは、表示部１４によりその旨を認識することができる。これにより、ユーザは、記録紙４の紙情報４ｂを装置の操作部１４等から直接入力したり、記録用アンテナ９に記録紙４の紙情報４ｂを再度受信させたりして、紙情報４ｂを取得させるための処置をとることができる。
【００６５】
また、本実施形態の複合機１によれば、記録紙４の選択を行う際に、記録紙４の収容状態から取得された記録紙４の情報と、記録用アンテナ９で受信した記録紙４の情報の、いずれの情報を優先するかを、ユーザが操作部１３により選択操作をすることができる。従って、例えば、元々情報チップとしての無線タグ２ａが埋め込まれたＡ３サイズの記録紙４を、人為的に半分に切断してＡ４サイズの記録紙４して利用した場合、収容状態から取得した記録紙情報を、記録用アンテナ９からの無線タグ２ａの情報より優先する設定にすることで、サイズ誤りのない正確な記録紙選択を行わせることができる。
【００６６】
また、本実施形態の複合機１によれば、収容部５における各トレー５ａの間に、電波を遮蔽する遮蔽板５ｂを設置したので、各トレー５ａに異なる種類の記録紙４が収容された場合でも、異なる種類の記録紙４の無線タグ４ａの電波が混線した状態で、記録用アンテナ９に受信されることはない。従って、他の種類の記録紙４の紙情報を誤って受信して制御に支障をきたすことはなく、装置の信頼性を向上することができる。
【００６７】
なお、前記実施形態においては、画像記録装置として複写機（スキャナを含む）、プリンタ、ファクシミリ等の機能を有した複合機１を例示したが、単なる複写機であっても前記実施形態と同様の作用効果を得ることができる。また、プリンタの場合は記録紙４への印刷の際に、ファクシミリの場合は原稿を読み取る（スキャンする）際に、それぞれ前記実施形態と同様の作用効果を得ることができる。
【００６８】
また、前記実施形態においては、図８及び図９に示すように、複写の禁止・制限を行う通常動作状態と、追跡情報１０９の記憶を行うユーザ認証動作状態とに切り換えられるものを示したが、複写の禁止・制限を行い、且つ、追跡情報１０９の記憶を行う構成としてもよいことは勿論である。
【００６９】
また、前記実施形態においては、複写禁止モードと複写記録モードとが択一的に選択されるものを示したが、いずれか一方のモードのみの処理を行うよう構成されたものであってもよい。
【００７０】
また、前記実施形態においては、原稿用アンテナ７及び記録用アンテナ９を設け、原稿紙２及び記録紙４の無線タグ２ａ，４ａの両方から送信されるデータを受信するものを示したが、原稿紙２及び記録紙４のいずれか一方からデータを受信する構成としてもよい。
【００７１】
また、前記実施形態においては、無線タグ２ａ，４ａからの紙情報２ｂ，４ｂとして、商品クラス識別番号を基に紙種を解析するようにしたものを示したが、商品識別番号等、他の番号情報を利用して紙種の解析を行ってもよい。
【００７２】
また、前記実施形態においては、電気的に書換可能なＥＥＰＲＯＭ１０２に追跡情報１０９を記憶させるものを示したが、追跡情報１０９をＲＡＭ１０１に記憶させるようにして、電気的に書換が不可能なＲＯＭを用いる構成としてもよいし、その他、具体的な細部構造等についても適宜に変更可能であることは勿論である。
【００７３】
【発明の効果】
以上詳述したように、請求項１に記載の発明によれば、正確な情報に基づいて、原稿の画像に対応した適切な記録紙が選択されることとなり、画像記録を的確に行うことができる。従って、操作部等により原稿の画像を記録するのに不適な記録紙に設定されている場合であっても、記録可能な他の種類の記録紙に画像を記録することができる。
【００７４】
請求項２に記載の発明によれば、請求項１の効果に加え、より多くの情報に基づいて、原稿の画像に対応した適切な記録紙が選択されることとなり、画像記録をより的確に行うことができる。
【００７５】
請求項３に記載の発明によれば、請求項２の効果に加え、原稿紙全体の画像をスキャンするべく原稿紙に沿って移動するスキャンヘッドに原稿情報受信部が配されているので、情報チップが原稿紙のどの部分に配されていても、確実に紙情報を受信することができる。
【００７６】
請求項４に記載の発明によれば、請求項１から３のいずれか一項の効果に加え、記憶部に記憶された紙情報を利用して、記録紙の選択を行うことができ、リアルタイムで記録紙の紙情報を認識する必要はない。また、情報チップとの通信の特性上、情報チップからの紙情報の読み出しが常時行えない制約がある場合も、記憶内容を基に適切な記録紙を選択することができる。さらに、一度、紙情報が認識できればよいため、記録情報受信部の構成等を簡単にすることができる。
【００７７】
請求項５に記載の発明によれば、請求項４の効果に加え、収容部に記録紙が収容されているにも関わらず、通信状態等に起因して紙情報が受信されない場合であっても、収容状態から記録紙の情報が記憶されるので、記録紙の選択を行うことができる。
【００７８】
請求項６に記載の発明によれば、請求項１から５のいずれか一項の効果に加え、記録紙の選択を行う際に、記録紙の収容状態から取得された記録紙の情報と、記録情報受信部で受信した記録紙の情報の、いずれの情報を優先するかを、ユーザが指定できる。従って、例えば、元々情報チップが埋め込まれた記録紙を切断するなどして、別のサイズの記録紙として利用した場合も、収容状態から取得した記録紙情報を、記録情報受信部からの情報チップの情報より優先する設定にすることにより、サイズ誤りのない正確な記録紙選択を行わせることができる。
【００７９】
請求項７に記載の発明によれば、請求項１から６のいずれか一項の効果に加え、記録紙の紙情報が未受信である場合に、ユーザは、記録紙の紙情報を装置の操作部等から直接入力したり、記録情報受信部に記録紙の紙情報を再度受信させたりして、紙情報を取得させるための処置をとることができる。
【００８０】
請求項８に記載の発明によれば、請求項１から７のいずれか一項の効果に加え、異なる種類の記録紙同士が遮蔽部材により仕切られるので、異なる種類の記録紙の情報チップの電波が混線した状態で、記録情報受信部に受信されることはない。従って、他の種類の記録紙の紙情報を誤って受信して制御に支障をきたすことはなく、装置の信頼性を向上することができる。
【００８１】
請求項９に記載の発明によれば、請求項１から８のいずれか一項の効果に加え、原稿の画像が記録紙に記録されるときに、記憶部に追跡情報が記憶されることとなる。これにより、ユーザは、記憶部に蓄積された追跡情報から、所望の画像データ及び紙情報を検索することができる。
【００８２】
請求項１０に記載の発明によれば、請求項９の効果に加え、記憶部に記憶される追跡情報が記録紙に出力されるので、ユーザは記憶部に蓄積されていく追跡情報を認識することができる。
【図面の簡単な説明】
【図１】本発明の一実施形態を示す複合機の概略正面図である。
【図２】読取部の概略斜視説明図である。
【図３】収容部の概略斜視説明図である。
【図４】複合機の概略構成ブロック図である。
【図５】（ａ）はＥＥＰＲＯＭの説明図、（ｂ）は追跡情報の説明図、（ｃ）は紙情報の説明図である。
【図６】原稿紙及び記録紙の紙情報の伝達経路を示す模式図である。
【図７】無線タグの記憶内容と、データベースの記憶内容との対応づけの一例を示す図である。
【図８】制御部の動作を示すフローチャートである。
【図９】制御部の動作を示すフローチャートである。
【符号の説明】
１          複合機
２          原稿紙
２ａ        無線タグ
２ｂ        紙情報
３          読取部
３ａ        スキャンヘッド
４          記録紙
４ａ        無線タグ
４ｂ        紙情報
５          収容部
５ａ        トレー
５ｂ        遮蔽板
５ｃ        仕切り板
７          原稿用アンテナ
８          第１無線コントロール部
９          記録用アンテナ
１０        第２無線コントロール部
１３        操作部
１４        表示部
１５        情報取得部
１００      制御部
１０１      ＣＰＵ
１０２      ＥＥＰＲＯＭ
１０３      ＲＡＭ
１０４      通常複写プログラム
１０５      複写禁止情報
１０６      禁止判定プログラム
１０７      複写禁止プログラム
１０８      複写記録プログラム
１０９      追跡情報
１０９ａ    画像データ
１０９ｂ    ユーザＩＤ・氏名情報
１０９ｃ    記録枚数情報
１０９ｄ    記録開始時刻情報
１０９ｅ    記録モード情報
１１０      追跡情報記憶プログラム
１１１      データベース
【図１】
0004613479.tif 000002
【図２】
0004613479.tif 000003
【図３】
0004613479.tif 000004
【図４】
0004613479.tif 000005
【図５】
0004613479.tif 000006
【図６】
0004613479.tif 000007
【図７】
0004613479.tif 000008
【図８】
0004613479.tif 000009
【図９】
0004613479.tif 000010